(57)【特許請求の範囲】
【請求項１】
縦フレームと横フレームを枠組みしたフレーム体に、側板を取り付けて構成されるキャビネットにおいて、
前記横フレームは、長辺と短辺からなる断面長方形状をなし、長辺は前記縦フレームの横幅と同じで、短辺は前記縦フレームの横幅より短い寸法に設定されてなり、
前記横フレームを長辺を縦方向にして、該横フレームの端面を前記縦フレームに接続することにより生じる横フレームと縦フレーム間の段差に、該段差の厚みを有する前記側板を取り付けた
ことを特徴とするキャビネット構造。
【請求項２】
縦フレームと横フレームを枠組みしたフレーム体に、側板を取り付けて構成されるキャビネットにおいて、
前記横フレームは、長辺と短辺からなる断面長方形状をなし、長辺は前記縦フレームの横幅と同じで、短辺は前記縦フレームの横幅より短い寸法に設定されてなり、
前記横フレームを短辺を縦方向にして、該横フレームの端面を前記縦フレームに接続し、接続後の横フレームと縦フレームの外側に前記側板を取り付けた
ことを特徴とするキャビネット構造。
【発明の詳細な説明】
【技術分野】
【０００１】
本発明は、縦フレームと横フレームを枠組みしたフレーム体に側板を取り付けて構成されるキャビネットに関するものである。
【背景技術】
【０００２】
従来、特許文献１に開示されているように、縦フレームと横フレームをタッピングネジで連結する構造において、横フレームは、長辺と短辺からなる断面長方形状のものが開示されている。
また、特許文献２に開示されているように、縦フレームと横フレームをＬ金具等で固定する構造材において、長辺と短辺からなる横フレームを、長辺を縦方向あるいは横方向にして使い分ける構造が開示されている。
【先行技術文献】
【特許文献】
【０００３】
【特許文献１】実開昭５６−１２３１４３号公報
【特許文献２】実公昭５３−３００８７号公報
【発明の概要】
【発明が解決しようとする課題】
【０００４】
上記特許文献１の横フレームは断面長方形状となっており、また、特許文献２では、長方形状のフレームを縦使いあるいは横使いするものとなっているが、側板を取り付ける構造のキャビネットにおいて、断面長方形状のフレームを縦使いあるいは横使いして有効利用する思想は存在しないものであった。
【課題を解決するための手段】
【０００５】
本発明は、断面長方形状のフレームを用いて、側板の取付構造を２通り実現することのできるキャビネット構造の提供を目的とし、この目的の少なくとも一部を達成するために以下の手段を採った。
本発明のキャビネット構造は、縦フレームと横フレームを枠組みしたフレーム体に、側板を取り付けて構成されるキャビネットにおいて、前記横フレームは、長辺と短辺からなる断面長方形状をなし、長辺は前記縦フレームの横幅と同じで、短辺は前記縦フレームの横幅より短い寸法に設定されてなり、前記横フレームを長辺を縦方向にして、該横フレームの端面を前記縦フレームに接続することにより生じる横フレームと縦フレーム間の段差に、該段差の厚みを有する前記側板を取り付けたことを要旨とする。
【発明の効果】
【０００６】
縦フレームに対し横フレームの長辺を縦方向にして、横フレームの端面を縦フレームに接続することで、横フレームと縦フレーム間に段差が生じ、この段差内に、段差の厚みを有する側板を取り付けることで、側板は、縦フレームの露出する面とほぼ面一に段差内に取り付けられることとなり、縦フレームが露出したキャビネットを得ることができるものとなる。
【０００７】
また、本発明の別のキャビネット構造は、縦フレームと横フレームを枠組みしたフレーム体に、側板を取り付けて構成されるキャビネットにおいて、前記横フレームは、長辺と短辺からなる断面長方形状をなし、長辺は前記縦フレームの横幅と同じで、短辺は前記縦フレームの横幅より短い寸法に設定されてなり、前記横フレームを短辺を縦方向にして、該横フレームの端面を前記縦フレームに接続し、接続後の横フレームと縦フレームの外側に前記側板を取り付けたことを要旨とする。
【０００８】
このように横フレームの短辺を縦方向にして、横フレームの端面を縦フレームに接続すると、横フレームの短辺の面と縦フレームの面は面一状に接続されることとなり、横フレームと縦フレームの外側に、木口処理されている高級な側板を取り付けて横フレームと縦フレームを隠蔽させることができ、高級タイプのキャビネットを得ることができるものとなる。
【図面の簡単な説明】
【０００９】
【図１】側板の取り付け前のフレーム体を露出させた洗面化粧台の斜視構成図である。
【図２】前後の縦フレーム間に側板を取り付けて完成された洗面化粧台の外観斜視図である。
【図３】フレーム体の外側に木口処理された側板を取り付けて完成された洗面化粧台の外観斜視図である。
【図４】フレーム体を構成する縦フレームの水平断面拡大構成図である。
【図５】フレーム体を構成する横フレームの断面拡大構成図である。
【図６】図２のキャビネットの縦フレームと横フレームと側板の取付状態の底面拡大構成図である。
【図７】図３のキャビネットの縦フレームと横フレームの接続状態の平面拡大構成図である。
【図８】図３のキャビネットの縦フレームと横フレームの接続前の分解斜視図である。
【図９】横フレームの変更例を示す断面拡大構成図である。
【発明を実施するための形態】
【００１０】
次に、本発明を実施するための形態を実施例を用いて説明する。
図１は、幕板、引出し、側板の取り付け前の、フレーム体２を露出させた洗面化粧台の斜視構成図である。
洗面キャビネット１は、フレーム体２の上面にカウンター３が設置され、カウンター３には、シンク４と水栓吐水口５ａ，水栓ハンドル５ｂが設けられる。また、フレーム体２の底側には、前面に、けこみ板６ａと、側面に、側けこみ板６ｂが設けられる。
なお、フレーム体２は、複数本の縦フレーム２０ａ，２０ｂ，２０ｃ，２０ｄ，２０ｅ，２０ｆと、複数本の横フレーム（レールフレーム）２１ａ，２１ｂと、連結フレーム２２を連結して枠組み形成したものである。
【００１１】
図２は、フレーム体２の側面の縦フレーム２０ａ，２０ｅ間に、略面一状に側板９ａを取り付け、フレーム体２の連結フレーム２２の上方部位に、３枚の幕板８，８，８を取り付け、フレーム体２の縦フレーム２０ｂ，２０ｃ間に前方側へ引き出し可能に引出し７ａを設け、縦フレーム２０ｃ，２０ｄ間にも引出し７ｂを設け、さらに縦フレーム２０ａと２０ｂ間にも前方へ引き出し可能に引出し７ｃを設けて、完成させた洗面キャビネット１の外観斜視図である。
【００１２】
また、図３に示す洗面キャビネット１は、図２と同様に、フレーム体２の連結フレーム２２の前面に３枚の幕板８，８，８と、その下方に、３体の引出し７ａ，７ｂ，７ｃを設けて構成し、フレーム体２の側面には、肉厚が大で前面側が木口処理された側板９ｂを取り付けたものである。この図３の洗面キャビネット１では、縦フレーム２０ａ，２０ｅの外側に側板９ｂが取り付けられるため、縦フレーム２０ａ，２０ｅは露出しない高級タイプのものである。
【００１３】
このような図２に示す洗面キャビネット１と、図３に示す洗面キャビネット１は、側板が異なるのみで、フレーム体２を構成する縦フレーム２０ａ，２０ｂ，２０ｃ，２０ｄ，２０ｅおよび横フレーム２１ａ，２１ｂは同一のものである。
横フレーム２１ａ，２１ｂは断面長方形状であり、横フレーム２１ａを、長辺を縦方向にして縦フレーム２０ａ，２０ｅ間に接続すると、図２のような洗面キャビネット１を形成させることができ、横フレーム２１ａを９０°回転させて短辺を縦方向にして縦フレーム２０ａ，２０ｅ間に接続すると、図３のような洗面キャビネット１を形成させることができる。
即ち、フレーム体２を構成する断面長方形状の横フレーム２１ａ，２１ｂを、長辺を縦方向にして用いる場合と、短辺を縦方向にして用いる場合とで、２通りの側板９ａ，９ｂの取付構造を実現することができる。
【００１４】
図４は、縦フレーム２０ａの水平断面を示す拡大構成図である。
縦フレーム２０ａは、横フレーム２１ａの端面が接続される取付辺２０１の両端側から、９０°の角度をなしてそれぞれ側面辺２０２と側面辺２０３が平行状に一体形成されており、側面辺２０２と側面辺２０３間には、取付辺２０１と平行状に中仕切辺２０４が一体形成されている。この中仕切辺２０４と取付辺２０１には、タッピングネジ１０，１０を通す２個のネジ通し孔２０４ａ，２０４ａと、２個のネジ通し孔２０１ａ，２０１ａが同じ位置に貫通形成されている。
【００１５】
側面辺２０２と側面辺２０３の、取付辺２０１と反対側の先端は開放されており、先端側の内側には凹み状の係合段部２０２ａ，２０３ａと、先端の先端係合部２０２ｂ，２０３ｂがそれぞれ形成されている。
この係合段部２０２ａ，２０３ａには、カバー２０５に一体形成されている弾性嵌合片２０５ａ、２０５ａの先端の鉤部２０５ｂ，２０５ｂが着脱可能に係合され、縦フレーム２０ａの側面辺２０２，２０３の先端の開放部分にはカバー２０５が取り付けられて覆蓋されるものである。
なお、カバー２０５を取り付けた状態では、カバー２０５の両端側に突出した幅端嵌合片２０５ｃ，２０５ｃがそれぞれ縦フレームの側面辺２０２，２０３の先端の先端係合部２０２ｂ，２０３ｂに当接されるものである。
【００１６】
また、横フレーム２１ａ，２１ｂは、図５に断面拡大図で示すような断面長方形状をなすアルミニウムの押出成形品で構成されている。
この横フレーム２１ａの長辺２１１の寸法ａは３０ｍｍに設定されており、横フレーム２１ａの短辺２１２の寸法ｂは２４ｍｍに設定されている。
一対の長辺２１１，２１１と一対の短辺２１２，２１２の各中央部には、それぞれ内側へ突出して、内端が開口されたＣ字状断面をなすビスホール２１３ａ，２１３ｂ，２１３ｃ，２１３ｄが一体形成されている。
この４個のビスホール２１３ａ，２１３ｂ，２１３ｃ，２１３ｄは、各ビスホール２１３ａ，２１３ｂ，２１３ｃ，２１３ｄの中心を結ぶ線が正方形となるように等間隔で配置されている。即ち、横フレーム２１ａの長辺２１１を縦方向にしても、９０°回転させて短辺２１２を縦方向にしても、ビスホール２１３ａ，２１３ｂ，２１３ｃ，２１３ｄの内の２個のビスホールが、前記縦フレーム２０ａのタッピングネジ１０，１０を通す２個のネジ通し孔２０４ａ，２０４ａ、２０１ａ，２０１ａの位置に配置されるように構成されている。
なお、一方の長辺２１１に形成されているビスホール２１３ｄの内側への突出量は、他の３個のビスホール２１３ａ，２１３ｂ，２１３ｃの内側への突出量より小に設定されている。これは、横フレーム２１ａの長辺２１１，２１１が縦方向となるようにして、横フレーム２１ａを縦フレーム２０ａ，２０ｅ間に接続する際に、縦フレーム２０ａ，２０ｅと横フレーム２１ａとの間に、後述する段差Ｐを形成させるためである。
【００１７】
図２に示す洗面キャビネット１を形成させる場合には、横フレーム２１ａの長辺２１１，２１１が縦方向となるようにして、横フレーム２１ａを縦フレーム２０ａ，２０ｅ間に接続する。
図６には、横フレーム２１ａの長辺２１１，２１１が縦方向となるようにして、縦フレーム２０ａに横フレーム２１ａを接続した底面拡大図を示す。
この場合、縦フレーム２０ａの取付辺２０１に、横フレーム２１ａの長辺２１１，２１１が縦方向となるようにして、横フレーム２１ａの端面を当接させ、縦フレーム２０ａのネジ通し孔２０４ａ，２０４ａ，２０１ａ，２０１ａにタッピングネジ１０，１０を通し、タッピングネジ１０の頭部を中仕切辺２０４に当接させて、横フレーム２１ａのビスホール２１３ｂと２１３ｄにそれぞれタッピングネジ１０，１０を締め付けて、縦フレーム２０ａに横フレーム２１ａを接続する。
【００１８】
縦フレーム２０ａの取付辺２０１の横幅寸法ａは、横フレーム２１ａの長辺２１１の寸法ａと同一の３０ｍｍに設定されているため、横フレーム２１ａの長辺２１１を縦方向にして、縦フレーム２０ａの取付辺２０１に横フレーム２１ａの端面を接続すると、縦フレーム２０ａの側面辺２０３と横フレーム２１ａの長辺２１１との間に６ｍｍの段差Ｐが生ずることとなる。
即ち、横フレーム２１ａの短辺２１２の寸法ｂは２４ｍｍであるため、縦フレーム２０ａの取付辺２０１の横幅寸法３０ｍｍに対し６ｍｍの段差Ｐが生ずるのである。この段差Ｐに、厚さ５ｍｍに規格された側板９ａを取り付けることで、側板９ａの外側面と縦フレーム２０ａの側面辺２０３とがほぼ面一状態となり、縦フレーム２０ａ，２０ｅ間に略面一状に５ｍｍの厚さの側板９ａが嵌め込み状に取り付けられることとなる。
なお、側板９ａはビスを用いて横フレーム２１ａに固定して取り付けることもでき、また、横フレーム２１ａに貼り付けて取り付けることもできる。
【００１９】
このように横フレーム２１ａの長辺２１１を縦方向にして縦フレーム２０ａ，２０ｅ間に接続する場合には、横フレーム２１ａのビスホール２１３ｂと２１３ｄにそれぞれタッピングネジ１０，１０がネジを切りながら締め付けられるものである。
【００２０】
一方、図３に示す洗面キャビネット１を形成させる際には、横フレーム２１ａの短辺２１２を縦方向にして、横フレーム２１ａの端面を縦フレーム２０ａ，２０ｅに接続する。この場合は、横フレーム２１ａのビスホール２１３ａ，２１３ｃ内にそれぞれタッピングネジ１０，１０がネジを切りながら締め付けられて接続されるものである。
このように、横フレーム２１の短辺２１２を縦方向にして用いる場合の縦フレーム２０ａと横フレーム２１ａの接続状態は図７の拡大平面図で示す。
【００２１】
なお、図８の分解斜視図で示すものは、中仕切部となる縦フレーム２０ｃに、短辺２１２を縦方向にして横フレーム２１を接続する状態を示すものである。
横フレーム２１の短辺２１２を縦方向にして、横フレーム２１の端面を縦フレーム２０ｃの取付辺２０１に接続すると、取付辺２０１の横幅ａは３０ｍｍであり、横フレーム２１の長辺２１１の幅長ａも３０ｍｍであるため、接続状態では、縦フレーム２０ａの側面辺２０２と横フレーム２１の短辺２１２の面がほぼ面一状となって接続されるものである。
【００２２】
この場合、縦フレーム２０ｃの取付辺２０１および中仕切辺２０４にそれぞれ貫通形成されているネジ通し孔２０１ａ，２０４ａに、それぞれタッピングネジ１０を通して、タッピングネジ１０の頭部を中仕切辺２０４に当接させて、タッピングネジ１０を横フレーム２１のビスホール２１３ａと２１３ｃにそれぞれネジを切りながら締め付けてゆき、良好に横フレーム２１を縦フレーム２０ｃに接続できるものである。
【００２３】
なお、横フレーム２１の両側の短辺２１２，２１２には、横方向へ間隔をおいてビス孔２１２ａ，２１２ａ，２１２ａが予め形成されており、このビス孔２１２ａ，２１２ａ，２１２ａにビス１２，１２，１２を締め付けて、それぞれの短辺２１２，２１２にそれぞれレール部材１１を取り付け固定することができるものである。このレール部材１１，１１に沿って引出し７ａおよび引出し７ｂを前方側へ引き出すことができるものとなる。
【００２４】
なお、側面側の縦フレーム２０ａ，２０ｅ間に接続される横フレーム２１ａにおいては、この横フレーム２１ａの図示左側の内側の短辺２１２のみにレール部材１１がビス１２で取り付け固定されるものである。
なお、タッピングネジ１０の頭部は、カバー２０５を縦フレーム２０ｃに取り付けることで隠され、タッピングネジ１０は露出することがなく、すっきりとした設置状態が得られるものである。
【００２５】
このように横フレーム２１は短辺２１２を縦方向にして縦フレーム２０ａ，２０ｅ，２０ｃ，２０ｂにそれぞれ接続することができ、この場合は縦フレーム２０ａ，２０ｅ間に接続される側面側の横フレーム２０ａは、縦フレーム２０ａ，２０ｅとほぼ面一状となるため、この縦フレーム２０ａ，２０ｅと横フレーム２１ａの外側に、厚みが１５ｍｍの高級な側板９ｂを取り付け固定することができ、側板９ｂの前面は露出するが、この側板９ｂの前面は木口処理されており、この木口処理された面が露出して高級感のある洗面キャビネット１となる。
【００２６】
このように横フレーム２１の４個のビスホール２１３ａ，２１３ｂ，２１３ｃ，２１３ｄはそれぞれ中心を結ぶ線が正方形となるように設定されているため、横フレーム２１を９０°回転させた場合にもビスホールは同じ位置に配置されることとなり、縦フレーム２０側には横方向に２個のネジ通し孔２０４ａ，２０１ａを形成させておけば良く、縦フレーム２０のネジ通し孔２０４ａ，２０１ａの孔加工は一通りとなり、品番数を削減できるものとなる。
【００２７】
なお、横フレーム２１の断面を図９のような断面とし、図９のような断面構造の横フレーム２１を長辺２１１を縦方向にして用いることで、図２のような洗面キャビネット１を形成させることも、また、短辺２１２を縦方向にして用いることで、図３に示すような高級な洗面キャビネット１を形成させることもできる。
この図９の変更例の横フレーム２１は、一対の長辺２１１，２１１の内側のみにビスホール２１３ｅ，２１３ｆが一体形成されたものであり、一方側のビスホール２１３ｅは、長辺２１１と短辺２１２の交差する左端隅角部からそれぞれｃで示す７ｍｍの位置に配置されたものであり、また、ビスホール２１３ｆは、他方側の長辺２１１と短辺２１２の交差する右端隅角部からｃで示す７ｍｍの位置であって短辺２１２側へｄで示す２ｍｍ突出した位置に配置されている。
【００２８】
このような断面形状の横フレーム２１では、ビスホール２１３ｅとビスホール２１３ｆが斜めに配置されているため、横フレーム２１の強度が大となり、ビスホールの数が２個であるため、アルミの押出品として成形する場合、アルミの使用量が少なくてコストを低減させることができるものとなる。
このような断面形状の横フレーム２１を使用して、縦フレーム２０ａ，２０ｅ，２０ｃ，２０ｂに接続する際には、縦フレーム側に４個のネジ通し孔２０４ａ，２０１ａを形成させておく必要があり、縦フレームに形成した４個のネジ通し孔２０４ａ，２０１ａの内の斜め対向位置の２個にそれぞれタッピングネジ１０，１０を通し、２個のビスホール２１３ｅ，２１３ｆにそれぞれタッピングネジ１０，１０をネジを切りながら締め付けて、横フレーム２１を縦フレーム２０に接続できるものである。
【００２９】
なお、縦フレームに形成された４個のネジ通し孔２０４ａ，２０１ａの内の２個は捨て孔となり、横フレーム２１を９０°回転させて接続する際には、この捨て孔が逆にタッピングネジ１０を通すネジ通し孔として使用される。
なお、捨て孔およびタッピングネジ１０の頭部は、外側から縦フレーム２０にカバー２０５を被せて取り付けることで、良好に隠蔽されるものである。
なお、本例では、洗面キャビネットを例示しているが、その他、キッチンキャビネット、トイレ手洗いキャビネットなど、あらゆる分野に展開可能である。
【符号の説明】
【００３０】
１  洗面キャビネット
２  フレーム体
３  カウンター
４  シンク
５ａ  水栓吐水口
５ｂ  水栓ハンドル
７ａ，７ｂ，７ｃ  引出し
９ａ，９ｂ  側板
１０  タッピングネジ
１１  レール部材
１２  ビス
２０ａ，２０ｂ，２０ｃ，２０ｄ，２０ｅ  縦フレーム
２１，２１ａ，２１ｂ  横フレーム（レールフレーム）
２０１  取付辺
２０１ａ，２０４ａ  ネジ通し孔
２０２，２０３  側面辺
２０４  中仕切辺
２０５  カバー
２１１  長辺
２１２  短辺
２１３ａ，２１３ｂ，２１３ｃ，２１３ｄ，２１３ｅ，２１３ｆ  ビスホール
【図１】
0005424775.tif 000002
【図２】
0005424775.tif 000003
【図３】
0005424775.tif 000004
【図４】
0005424775.tif 000005
【図５】
0005424775.tif 000006
【図６】
0005424775.tif 000007
【図７】
0005424775.tif 000008
【図８】
0005424775.tif 000009
【図９】
0005424775.tif 000010